(57)【特許請求の範囲】
【請求項１】
アッパボックス下端の第１嵌合部とロアボックス上端の第２嵌合部とを嵌合させて上記アッパボックスとロアボックスとが両ボックス壁間に断熱空間を有するように組み付けられてなる分割型ボックスの嵌合構造であって、
上記第１嵌合部及び第２嵌合部のいずれか一方には、端縁に沿いかつ上下方向に突出する突条部が突設され、
該突条部のボックス内側及び外側には、上記第１嵌合部及び第２嵌合部のいずれか他方と当接する内側段部及び外側段部が上記突条部に対して上下方向に段差を有して形成され、
上記第１嵌合部及び第２嵌合部のいずれか他方には、端縁に沿いかつ上記突条部が嵌入される凹条溝部が凹設され、
アッパボックス側の上記断熱空間とロアボックス側の上記断熱空間とは連続して形成されるとともに、これら断熱空間にはポリウレタンからなる断熱材が充填されていることを特徴とする分割型ボックスの嵌合構造。
【請求項２】
被保冷物を出入れする開口部を有するボックス本体と、上記開口部を開閉する上蓋とを備えたクーラボックスであって、
上記ボックス本体は、アッパボックスとロアボックスとが組み付けられてなる分割型であり、
上記アッパボックスは、有底の板状インナ壁と、該インナ壁に対して断熱空間を有するようにインナ壁上端からボックス本体側部まで折曲しその端縁に第１嵌合部が形成された板状アウタ壁とで構成され、
上記ロアボックスは、板状であり、上記インナ壁に対して断熱空間を有するように断面Ｕ字状に形成され、その端縁には上記第１嵌合部と嵌合する第２嵌合部が形成され、
上記断熱空間には、ポリウレタンからなる断熱材が充填され、
上記第１嵌合部及び第２嵌合部のいずれか一方には、端縁に沿いかつ上下方向に突出する突条部が突設され、
該突条部のボックス内側及び外側には、上記第１嵌合部及び第２嵌合部のいずれか他方と当接する内側段部及び外側段部が上記突条部に対して上下方向に段差を有して形成され、
上記第１嵌合部及び第２嵌合部のいずれか他方には、端縁に沿いかつ上記突条部が嵌入される凹条溝部が凹設されていることを特徴とするクーラボックス。
【発明の詳細な説明】
【０００１】
【発明の属する技術分野】
この発明は、アッパボックスとロアボックスとに分割された分割型ボックスの嵌合構造及び該嵌合構造が適用されたクーラボックスに関するものである。
【０００２】
【従来の技術】
特開平１０−２６２５３５号公報には、クーラボックスが開示されている。このクーラボックスは、中空状に成形されたボックス本体の中空部にポリウレタンからなる断熱材が充填されて構成されている。このようなボックス本体は、一般にブロー成形により内部に中空部を有するように成形された一体物であり、上記断熱材は、ボックス本体に穿設された注入孔から中空部にポリウレタンを注入することで中空部に充填されるようになっている。
【０００３】
【発明が解決しようとする課題】
ところが、ボックス本体をブロー成形した後、一々、ボックス本体に注入孔を穿設するのは手間が掛かり、生産効率が低下する。また、折角、ポリウレタンを注入しても、ポリウレタンがボックス本体の中空部内の隅々にまで行き渡り難く、成形欠陥を招くことがある。
【０００４】
そこで、ボックス本体をアッパボックスとロアボックスとに分割し、両者を組み付ける前の段階で、開放状態のロアボックスにポリウレタンを注入した後、アッパボックスをロアボックスに嵌合させて両者を組み付けるようにすれば、上述の如き注入孔穿設作業がいらず、生産効率が向上する。また、開放状態のロアボックスにポリウレタンを注入するので、ポリウレタンがボックス本体の中空部内の隅々にまで行き渡って成形欠陥をなくすことができる。
【０００５】
しかし、上述の如くボックス本体をアッパボックスとロアボックスとに分割すると、ポリウレタンが嵌合部分から漏れるおそれがある。この漏れを防止するためには、アッパボックスとロアボックスとの凹凸嵌合を深くすればよいが、凹凸嵌合を深くすると、嵌合組付け性が難しくなる。
【０００６】
この発明はかかる点に鑑みてなされたものであり、その目的とするところは、生産性の低下や成形欠陥が生じないようにアッパボックスとロアボックスとを嵌合させて組み付けるようにし、その際、アッパボックスとロアボックスとの嵌合部のシール性を確保するとともに、嵌合組付け性を簡単にすることである。
【０００７】
【課題を解決するための手段】
上記の目的を達成するため、この発明は、嵌合部を構成する突条部や凹条溝部の形状に工夫を凝らしたことを特徴とする。
【０００８】
具体的には、この発明は、分割型ボックスの嵌合構造と該嵌合構造が適用されたクーラボックスを対象とし、次のような解決手段を講じた。
【０００９】
すなわち、請求項１に記載の発明は、前者の分割型ボックスの嵌合構造に関するものであり、アッパボックス下端の第１嵌合部とロアボックス上端の第２嵌合部とを嵌合させて上記アッパボックスとロアボックスとが両ボックス壁間に断熱空間を有するように組み付けられてなる分割型ボックスの嵌合構造であって、上記第１嵌合部及び第２嵌合部のいずれか一方には、端縁に沿いかつ上下方向に突出する突条部が突設され、該突条部のボックス内側及び外側には、上記第１嵌合部及び第２嵌合部のいずれか他方と当接する内側段部及び外側段部が上記突条部に対して上下方向に段差を有して形成され、上記第１嵌合部及び第２嵌合部のいずれか他方には、端縁に沿いかつ上記突条部が嵌入される凹条溝部が凹設され、アッパボックス側の上記断熱空間とロアボックス側の上記断熱空間とは連続して形成されるとともに、これら断熱空間にはポリウレタンからなる断熱材が充填されていることを特徴とする。
【００１０】
請求項２に記載の発明は、請求項１に記載の嵌合構造が適用された後者のクーラボックスに関するものであり、被保冷物を出入れする開口部を有するボックス本体と、上記開口部を開閉する上蓋とを備えたクーラボックスであって、上記ボックス本体は、アッパボックスとロアボックスとが組み付けられてなる分割型であり、上記アッパボックスは、有底の板状インナ壁と、該インナ壁に対して断熱空間を有するようにインナ壁上端からボックス本体側部まで折曲しその端縁に第１嵌合部が形成された板状アウタ壁とで構成され、上記ロアボックスは、板状であり、上記インナ壁に対して断熱空間を有するように断面Ｕ字状に形成され、その端縁には上記第１嵌合部と嵌合する第２嵌合部が形成され、上記断熱空間には、ポリウレタンからなる断熱材が充填され、上記第１嵌合部及び第２嵌合部のいずれか一方には、端縁に沿いかつ上下方向に突出する突条部が突設され、該突条部のボックス内側及び外側には、上記第１嵌合部及び第２嵌合部のいずれか他方と当接する内側段部及び外側段部が上記突条部に対して上下方向に段差を有して形成され、上記第１嵌合部及び第２嵌合部のいずれか他方には、端縁に沿いかつ上記突条部が嵌入される凹条溝部が凹設されていることを特徴とする。
【００１１】
上記の構成により、請求項１，２に記載の発明では、アッパボックスとロアボックスとを嵌合させて組み付ける際、突条部の内側面及び外側面のうち、ボックス内側及び外側に段差を有して形成された内側段部及び外側段部により上下方向に長くなっている方が一足早く凹条溝部の側面に当接し、この当接部分がガイドとなって突条部と凹条溝部とがスムーズに嵌合し、アッパボックスとロアボックスとが簡単に組み付けられる。しかも、当該当接部分の反対側の上下方向の寸法は当接部分に比べて短くて凹凸嵌合は当該当接部分に比べて浅いため、嵌合組付け性は悪くならない。
【００１２】
さらに、請求項１，２に記載の発明では、上記の作用効果に加えて、突条部両側の段差に起因して上下方向の寸法が長い突条部側面が凹条溝部に深く嵌合しているため、注入されたポリウレタンの漏れが確実に防止される。
【００１３】
また、請求項２に記載の発明では、アッパボックスとロアボックスとを組み付ける前の段階で、開放状態のロアボックスにポリウレタンを注入した後、アッパボックスをロアボックスに嵌合させて両者を組み付けるようにすることで、ブロー成形による一体物のように中空部にポリウレタンを注入するための注入孔を穿設せずに済み、その分だけ生産性が向上する。さらに、開放状態のロアボックスにポリウレタンを注入することで、ポリウレタンがボックス本体の中空部内の隅々にまで行き渡って成形欠陥がなくなる。
【００１４】
【発明の実施の形態】
以下、この発明の実施の形態について図面に基づいて説明する。
【００１５】
図３及び図５はレジャ等に用いられる樹脂製クーラボックス１を示す。このクーラボックス１は、被保冷物（図示せず）を収容する収容部３ａと、該収容部３ａに対して被保冷物を出入れする開口部３ｂとを有するボックス本体３を備え、該ボックス本体３の開口部３ｂ端縁には、上蓋５が図示しないヒンジにより上下方向に回動自在に取り付けられ、該上蓋５は上記ヒンジを支点に上下方向に回動して上記開口部３ｂを開閉するようになっている。上記ボックス本体３は、図４にも示すように、アッパボックス７とロアボックス９とが組み付けられてなる分割型であり、上記アッパボックス７には、クーラボックス１を運ぶ際に人が把持するハンドル１１が取り付けられている。図５中、１３は上蓋５が不用に開かないようにロック保持するロック部材である。
【００１６】
上記上蓋５は、端縁が下方に折曲された外蓋１５と、端縁が上方に折曲された内蓋１７とからなる。上記外蓋１５端縁の内面には、内方に突出する突条部１５ａが矩形環状に突設され、上記内蓋１７端縁の外面には、上記突条部１５ａが嵌合する凹条溝部１７ａが矩形環状に凹設され、上記突条部１５ａと凹条溝部１７ａとを嵌合させることにより、上記外蓋１５と内蓋１７とが組み付けられて上蓋５が構成されている。また、上記内蓋１７の端縁寄りには、下方に開口する凹所１７ｂが矩形環状に凹設され、該凹所１７ｂには、上蓋５を閉じた際にボックス本体３の開口部３ｂを密封するゴム製のシール材１９が嵌合固着されている。
【００１７】
上記アッパボックス７は、上記収容部３ａを構成する有底の板状インナ壁２１を備え、該インナ壁２１は上方が開放して上記開口部３ｂを構成するように直方体形状の箱形に形成されている。このインナ壁２１には、該インナ壁２１に対して断熱空間Ｃ１を有するようにインナ壁２１上端からボックス本体３側部下端寄りまで下方に折曲しその端縁に第１嵌合部２３が形成された板状アウタ壁２５が一体に形成され、このアウタ壁２５と上記インナ壁２１とでアッパボックス７を構成している。
【００１８】
一方、上記ロアボックス９は、板状であって、上記インナ壁２１に対して断熱空間Ｃ２を有するように断面Ｕ字状の浅皿形状に形成され、その端縁には上記第１嵌合部２３と嵌合する第２嵌合部２７が形成されている。そして、上記断熱空間Ｃ１，Ｃ２は連続し、これら断熱空間Ｃ１，Ｃ２には、ポリウレタンからなる断熱材２９が充填されている。上記上蓋５の外蓋１５と内蓋１７と間の断熱空間Ｃ３にも同様に断熱材３１が充填されている。
【００１９】
上記ロアボックス９の第２嵌合部２７には、端縁に沿いかつ上方に突出する突条部３３が矩形環状に突設されている一方、上記アッパボックス７の第１嵌合部２３には、端縁に沿いかつ上記突条部３３が嵌入される凹条溝部３５が矩形環状に凹設されている。
【００２０】
この発明の特徴として、図１及び図２に拡大して示すように、上記ロアボックス９の突条部３３のボックス内側及び外側には、内側段部３７ａ及び外側段部３７ｂが上記突条部３３に対して上下方向に段差を有して形成され、外側段部３７ｂは内側段部３７ａよりも下方に位置している。その結果、上記突条部３３の外側面３３ａが内側面３３ｂよりも長くなっている。また、上記アッパボックス７の第１嵌合部２３にも、上記突条部３３の突出形状に対応して内側段部３９ａ及び外側段部３９ｂが上下方向に段差を有して形成され、外側段部３９ｂは内側段部３９ａよりも下方に位置している。その結果、上記凹条溝部３５の外側面３５ａが内側面３５ｂよりも長くなっている。そして、上記アッパボックス７とロアボックス９とを嵌合させて組み付けた状態で、上記第１嵌合部２３の内側段部３９ａが上記第２嵌合部２７の内側段部３７ａに当接するとともに、上記第１嵌合部２３の外側段部３９ｂが上記第２嵌合部２７の外側段部３７ｂに当接するようになっている。
【００２１】
したがって、上記アッパボックス７とロアボックス９とを嵌合させて組み付ける際、まず、最初に上記突条部３３の内側面３３ｂよりも下方に長い外側面３３ａと、上記凹条溝部３５の内側面３５ｂよりも下方に長い外側面３５ａとが当接することから、この外側面３３ａ，３５ａ同士が互いに案内し合って上記突条部３３と凹条溝部３５とをスムーズに嵌合させることができ、アッパボックス７とロアボックス９とを簡単に組み付けることができる。しかも、当該当接部分の反対側である内側面３３ｂ，３５ｂを共に上下方向に短くして凹凸嵌合を当該当接部分に比べて浅くしているので、嵌合組付け性を悪くすることがない。
【００２２】
さらに、上記突条部３３の外側面３３ａと凹条溝部３５の外側面３５ａを共に上下方向に長くして凹凸嵌合を反対側の内側面３３ｂ，３５ｂ側に比べて深くしているので、断熱空間Ｃ１，Ｃ２に注入されたポリウレタンを漏れないようにして嵌合部分のシールを確実にすることができる。
【００２３】
また、上記アッパボックス７とロアボックス９とを組み付ける前の段階で、開放状態のロアボックス９にポリウレタンを注入した後、アッパボックス７をロアボックス９に嵌合させて両者を組み付けるようにすることで、ブロー成形による一体物のように中空部にポリウレタンを注入するための注入孔を穿設する必要がなく、その分だけ生産性を向上させることができる。さらに、開放状態のロアボックス９にポリウレタンを注入することで、ポリウレタンをボックス本体３の断熱空間Ｃ１，Ｃ２内の隅々にまで行き渡らせて成形欠陥をなくすことができる。
【００２４】
なお、上記の実施の形態では、突条部３３をロアボックス９の第２嵌合部２７に突設するとともに、凹条溝部３５をアッパボックス７の第１嵌合部２３に凹設したが、これとは逆に、突条部３３をアッパボックス７の第１嵌合部２３に突設するとともに、凹条溝部３５をロアボックス９の第２嵌合部２７に凹設しても同様の作用効果を得ることができるものである。
【００２５】
【発明の効果】
以上説明したように、請求項１，２に係る発明によれば、アッパボックスとロアボックスとを嵌合させて組み付ける際、突条部の外側面及び内側面のうち、内側段部及び外側段部の段差により上下方向に長くなっている方を凹条溝部の側面に他の箇所よりも一足早く当接させるようにしたので、当該部分をガイドとして突条部と凹条溝部との嵌合をスムーズに行うことができ、アッパボックスとロアボックスとを簡単に組み付けることができる。しかも、当該当接部分の反対側は上下方向に短いので、凹凸嵌合を当該当接部分に比べて浅くして嵌合組付け性を害することはない。
【００２６】
さらに、請求項１，２に係る発明によれば、上記の効果に加えて、突条部の外側面及び内側面のうち、内側段部及び外側段部の段差により上下方向に長い方を凹条溝部に深く嵌合させているので、注入されたポリウレタンの漏れを確実に防止することができる。
【００２７】
また、請求項２に記載の発明によれば、開放状態のロアボックスにポリウレタンを注入した後、アッパボックスをロアボックスに嵌合させて両者を組み付けるようにすることで、ブロー成形のような注入孔穿設作業を不要にしてその分だけ生産性を向上させることができる。さらに、開放状態のロアボックスにポリウレタンを注入することで、ポリウレタンをボックス本体の中空部内の隅々にまで行き渡らせて成形欠陥をなくすことができる。
【図面の簡単な説明】
【図１】  図３のＡ部拡大図である。
【図２】  図１の分解斜視図である。
【図３】  図５のIII −III 線における断面図である。
【図４】  ボックス本体の分解斜視図である。
【図５】  クーラボックスの斜視図である。
【符号の説明】
１              クーラボックス
３              ボックス本体
３ｂ            開口部
５              上蓋
７              アッパボックス
９              ロアボックス
２１              インナ壁
２３              第１嵌合部
２５              アウタ壁
２７              第２嵌合部
２９              断熱材
３３              突条部
３５              凹条溝部
３７ａ            内側段部
３７ｂ            外側段部
【図１】
0004509426.tif 000002
【図２】
0004509426.tif 000003
【図３】
0004509426.tif 000004
【図４】
0004509426.tif 000005
【図５】
0004509426.tif 000006